(57)【特許請求の範囲】
【請求項１】
軸筒内に軸方向へスライド可能に装着した複数のスライド駒と、前記各スライド駒に接続された各筆記要素と、前記各スライド駒を軸後方に付勢する各スプリングと、山形カム部を有し前記軸筒内に回動可能に係合された回転カムとを備え、該回転カムを回転させたときに、スライド駒を押上げる前記山形カム部の上げ側傾斜面とスライド駒を滑り下ろす同山形カム部の下げ側傾斜面とによって前記複数の筆記要素の一つを軸筒先端口より出没させるようにした回転繰出し式筆記具において、
前記山形カム部は、先行する筆記要素に対応する先行スライド駒が前記下げ側傾斜面上部に移動して、該下げ側傾斜面上部において同筆記要素の筆記部先端を軸筒先端口内に没入させた状態で、後続する筆記要素に対応する後続スライド駒が前記上げ側傾斜面基部に位置するように構成したことを特徴とする回転繰り出し式筆記具。
【請求項２】
前記回転カムは、前記山形カム部の前記上げ側傾斜面基部までの平坦面を備え、
前記先行スライド駒が前記山形カム部の頂点部分に位置する状態での前記後続スライド駒の前記平坦面上の位置から前記上げ側傾斜面基部までの距離を、前記先行する筆記要素の筆記部先端が前記軸筒先端口内に収まるのに必要な最小限の後退距離に応じて設定したことを特徴とする請求項１に記載された回転繰出し式筆記具。
【請求項３】
前記山形カム部の双方の傾斜面がなす角度を設定することで前記上げ側傾斜面基部までの距離を確保することを特徴とする請求項２記載の回転繰出し式筆記具。
【発明の詳細な説明】
【０００１】
【発明の属する技術分野】
本発明は、複数色のボールペンの中芯、あるいは、ボールペンの中芯とシャープペンシルの筆記体等、複数の筆記要素を一本の軸筒内に備え、これら筆記要素を回転操作により順次繰出す回転繰出し式筆記具に関するものである。
【０００２】
【従来の技術】
この種の筆記具は、軸筒内の溝に係合されて軸方向にスライドする複数のスライド駒と、それら各スライド駒に接続された各筆記要素と、各スライド駒を軸後方に付勢すべく先端部を軸筒内に係止された各スプリングと、山形カム部を有し軸筒内に回動可能に係合された回転カムとを備える。
【０００３】
図３は、第一の従来例を示し、回転カム１３０を回転させることにより、スライド駒１２０−１が山形カム部１３２の上げ側傾斜面１３２ｂに押上げられることで軸方向先端側にスライドし、このスライド駒１２０−１が山形カム部１３２の頂点に設けられている係合凹部１３２ｃに係合して、筆記部１４２−１の突出状態が維持される（図３（ａ），（ａ’）参照）。そして、再び回転カム１３０を回転させることにより、前記係合が外されて、同スライド駒１２０−１が山形カム部１３２の下げ側傾斜面１３２ａを滑り下ろされることで軸方向後端側にスライドし、筆記部１４２−１が没入される（図３（ｂ），（ｂ’）参照）。また、この筆記部１４２−１の出没動作と同様にして後続する筆記部１４２−２が出没動作をする。
ところで、上記動作によれば、筆記具の使用者により完全に筆記部１４２−１が没入するまで回転カム１３０が回転されなかった場合、即ち、筆記具の使用者が筆記部１４２−１を没入させる際に回転カム１３０を極僅かしか回さなかった場合、図４（ａ），（ａ’）に示すように、回転カム１３０には、スプリングの弾発力によって、先行する筆記部１４２−１に対応するスライド駒１２０−１が傾斜面１３２ａに押される力Ｆ１と、後続する筆記部１４２−２に対応するスライド駒１２０−２が逆側傾斜面１３２ｂに押される力Ｆ２との二つの力が働く。そして、これら双方の力Ｆ１，Ｆ２のバランスと、前記先行側及び後続側の各々におけるスライド駒１２０−１，１２０−２と傾斜面１３２ａ，１３２ｂとの摩擦抵抗により、先行するスライド駒１２０−１が傾斜面１３２ａ上の頂部側に位置した状態で回転カム１３０の回転が停止し、筆記部１４２−１先端が軸筒先端口１１１ａから僅かに突出されたままの状態になってしまうことがある。
かかる停止状態のままで、筆記具が衣服のポケットに収納された場合には、衣服を筆記部１４２−１で汚してしまう虞れがあった。
【０００４】
そこで、図５（ａ）及び（ｂ）に示す第二の従来例のように、回転カム１３０’の山形カム部１３２’を、片半部側を切落とした形状に形成することで、先行するスライド駒１２０−１が下げ側傾斜面の途中で停止することがないようにした構造が知られている（実開平０１−１６６５７８公報参照）。
しかしながら、上記第二の従来例では、山形カム部１３２’を片半部側を切落とした形状に形成しているために、筆記部を出没させる際の回転操作が一方向に限定されてしまい、筆記具の使い勝手が悪くなってしまう。
【０００５】
また、図６（ａ）〜（ｅ）に示す第三の従来例は、先口内で筆記部同士が干渉しないようにする目的で考案されたものであるが、図示のスライド駒の配置構成によれば、山形カム部１３２”に二つのスライド駒１２０−１，１２０−２が同時に乗り上がっている状態がないため、上述したような力関係のバランスにより、先行するスライド駒１２０−１が下げ側傾斜面１３２ａ”の途中で停止することがない（実開昭６１−５６０９２公報参照）。
しかし、この第三の従来例では、山形カム部１３２”に二つのスライド駒１２０−１，１２０−２が同時に乗り上がっている状態になることがないため、山形カム部１３２”の上げ側傾斜面１３２ｂ”で後続するスライド駒１２０−２を押上げる際に、先行するスライド駒１２０−１により下げ側傾斜面１３２ａ”が押されることがない。従って、回転カム１３０”を回転させる力が先行するスライド駒１２０−１の押圧により補助されることがなく、筆記部を突出させるための回転操作に大きな荷重を必要するという操作上の問題がある。
【０００６】
【発明が解決しようとする課題】
本発明は上記従来事情に鑑みてなされたものであり、その目的とする処は、筆記部を軸筒内に収納する操作を行った際に、筆記部先端が軸筒先端口から突出されたままの状態になってしまうことがない上、筆記部の出没を両方向の回転操作により行うことができ、しかも、その操作を軽い力で行うことができる回転繰出し式筆記具を提供することにある。
【０００７】
【課題を解決するための手段】
上記目的を達成するための本発明の技術的手段は、軸筒内に軸方向へスライド可能に装着した複数のスライド駒と、前記各スライド駒に接続された各筆記要素と、前記各スライド駒を軸後方に付勢する各スプリングと、山形カム部を有し前記軸筒内に回動可能に係合された回転カムとを備え、該回転カムを回転させたときに、スライド駒を押上げる前記山形カム部の上げ側傾斜面とスライド駒を滑り下ろす同山形カム部の下げ側傾斜面とによって前記複数の筆記要素の一つを軸筒先端口より出没させるようにした回転繰出し式筆記具において、前記山形カム部は、先行する筆記要素に対応する先行スライド駒が前記下げ側傾斜面上部に移動して、該下げ側傾斜面上部において同筆記要素の筆記部先端を軸筒先端口内に没入させた状態で、後続する筆記要素に対応する後続スライド駒が前記上げ側傾斜面基部に位置するように構成したことを特徴とする。ここで、先行する筆記要素とは、回転カムを一方向に回転させた際に、先行して出没動作をする任意の筆記要素を意味し、後続する筆記要素とは、前記先行する筆記要素に後続して出没動作をする筆記要素を意味する。また、山形カム部の上げ側傾斜面とは、山形カム部の二つの傾斜面の内、回転カムを一方向に回転させた際に、スライド駒を押上げる一方の傾斜面を意味し、山形カム部の下げ側傾斜面とは、同回転においてスライド駒を滑り下ろす他方の傾斜面を意味する。尚、回転カムの回転方向が前記と逆になった場合には、前記上げ側傾斜面と前記下げ側傾斜面も逆になる。上記技術的手段によれば、先行する筆記要素の筆記部先端が軸筒先端口内に没入してから、後続する筆記要素に対応するスライド駒が山形カム部における上げ側傾斜面基部に位置する。従って、筆記具の使用者により完全に筆記部が没入するまで回転カムが回転されなかった場合でも、その回転カムの回転は、スプリングの弾発力によって筆記部先端が軸筒先端口内に完全に没入するまで止まることがない。しかも、先行して没入した筆記要素に対応するスライド駒が下げ側傾斜面上部に位置するため、再度回転カムを回転させて後続する筆記要素を突出させる際に、前記スライド駒が下げ側傾斜面を押す力により、筆記具の使用者が回転カムを回す力が補助される。
【０００８】
尚、先行する筆記要素の筆記部先端が軸筒先端口内に没入する際のスライド距離を必要最小限にする手段としては、上記山形カム部は、先行する筆記要素の筆記部先端が軸筒先端口内に没入した直後に、後続する筆記要素に対応するスライド駒に上記上げ側傾斜面基部が位置するように、上記双方の傾斜面がなす角度を設定する。そして、その具体的手段としては、上記筆記要素を３本とし、上記山形カム部の双方の傾斜面がなす角度を４５度にするのが好ましい。
【０００９】
【発明の実施の形態】
以下、本発明の実施の形態を図面に基づいて説明する。
図１及び２は、本発明に係る回転繰出し式筆記具を示す。
この回転繰出し式筆記具は、軸筒１０内に、軸方向にスライドする三本のスライド駒２０と、各スライド駒２０に接続された各筆記要素４０と、回転により各スライド駒２０に順次係合する回転カム３０と、各スライド駒２０を軸後方に付勢する各スプリング５０等を備え、クリップ６０の回転操作によって回転カム３０が回転し各筆記要素４０の筆記部４２を順次出没させるように構成してある。
【００１０】
軸筒１０は、図１に示すように、筆記部４２を出没させる先端口１１ａを有する先細筒状の前軸１１後端に、筒状の後軸１２を同軸に螺着してなる。
後軸１２は、その内面先端側に、三つのガイド孔１２ｄ’を有する略円板状の係止板１２ｄが該後軸１２内を前後に仕切るようにして形成され、各ガイド孔１２ｄ’によって各筆記要素４０をガイドすると共に、係止板１２ｄの後面が各スプリング５０の先端面を係止する。そして、この後軸１２の内面後端側には、回転カム３０を回動可能に係合する周溝部１２ｂと、同回転カム３０の回転角度を制限する凸状のストッパー１２ｃが形成されている。また、この後軸１２内面における前記係止板１２ｄと周溝部１２ｂの間には、軸方向に延びるガイド縦溝１２ａが周方向に対して等間隔に三本形成されている。
【００１１】
スライド駒２０は、スライド基部２１と突状板部２２とガイド凸部２３とからなる一体の部材であり、後軸１２内において周方向に略１２０°毎に配置されている。
スライド基部２１は、他のスライド駒２０に隣接する二つの平面部２１ａ，２１ａと軸筒１０内周面に倣う外周面部２１ｂとからなる横断面扇形状を呈し、外周面部２１ｂには突端を後方に向けた突状板部２２を一体に有する。
突状板部２２は、外周面が後軸１２内面に摺接する湾曲状に形成されると共に、後方側が尖形状に形成されている。
ガイド凸部２３は、後軸１２のガイド縦溝１２ａに係合する縦長の突起であり、突状板部２２の外周面に軸方向に延設されている。
そして、このスライド駒２０は、後軸１２内でガイド凸部２３をガイド縦溝１２ａに係合させ、回転カム３０の回転により軸方向にスライドする。
【００１２】
筆記要素４０は、インク収容管４１の先端に継手４３を介して筆記部４２（チップ）を接続してなるボールペンのリフィールであり、各スライド駒２０のスライド基部２１にインク色の異なるものを着脱可能に嵌合してある。また、前記継手４３及び筆記部４２内には、図示しない逆流防止機構や乾燥防止機構が備えられ、インクの逆流に伴う筆記掠れを防止している。
尚、この筆記要素４０は、ボールペンのリフィールに限定されるものでなく、他の筆記具の筆記体、例えばシャープペンシルやサインペンの筆記体であっても構わない。
【００１３】
回転カム３０は、後端側の筒部３１と先端側の山形カム部３２とから一体に形成されている。また、この回転カム３０の後端には、筒状操作部６１の外周にクリップ本体部６２を形成してなるクリップ６０が、回転カム３０と一体に回転すべく嵌合してある。
【００１４】
筒部３１は、その外周面に、後軸１２の周溝部１２ｂに係合する周凸部３１ａと、回転カム３０の回転角度を制限する係止凸部３１ｂとが形成されている。
係止凸部３１ｂは、回転カム３０が一方向に回転された際に、三色の筆記要素４０が順次出没された後に後軸１２のストッパー１２ｃに一方の側面を係止すると共に、回転カム３０が他方向に回転された際には、前記三色の筆記要素４０が逆の順序で順次出没された後に後軸１２のストッパー１２ｃに他方の側面を係止するように、筒部３１の外周面に凸状に形成されている。
【００１５】
山形カム部３２は、後軸１２内周面に外周表面を沿わせた正面視山形状を呈し、左右の傾斜面３２ａ，３２ｂの交わる頂点部分に凹状の駒係止部３２ｃが形成され、回転カム３０の回転により、一方の傾斜面３２ａ又は３２ｂがスライド駒２０を押上げるようにして軸筒１０先方（図１における下方）にスライドさせ、そのスライド駒２０を駒係止部３２ｃで係止する。また、他方の傾斜面３２ａ又は３２ｂは、前記スライド駒２０を滑り下ろすようにして軸筒１０後方（図１における上方）にスライドさせる。
【００１６】
次に、山形カム部３２の構成を詳細に説明する便宜上、図２に示すように、回転カム３０を一方向に回転させた際に、先行して出没動作をする任意の筆記要素４０と、この筆記要素４０に対応する筆記部４２及びスライド駒２０を、それぞれ筆記要素４０−１、筆記部４２−１、スライド駒２０−１の符号で示し、前記筆記要素４０−１に後続して出没動作をする筆記要素４０、筆記部４２、スライド駒２０を、それぞれ筆記要素４０−２、筆記部４２−２、スライド駒２０−２の符号で示す。また、回転カム３０の前記方向の回転において、スライド駒２０を押上げる山形カム部３２の一方の傾斜面（図２における右側の傾斜面）を上げ側傾斜面３２ｂとし、同回転においてスライド駒２０を滑り下ろす山形カム部３２の他方の傾斜面（図２における左側の傾斜面）を下げ側傾斜面３２ａとする。
【００１７】
山形カム部３２は、図２（ａ’）に示すように、スライド駒２０―１が駒係止部３２ｃに係止された状態で、スライド駒２０―２が上げ側傾斜面３２ｂの基部から寸法Ｈ２離れた筒部３１の平坦面３１ｃ上に位置すると共に、図２（ｂ）及び（ｂ’）に示すように、筆記要素４０−１が前記係止状態から寸法Ｈ１後退した際に、スライド駒２０−２が上げ側傾斜面３２ｂの基部に位置するように形成されている。尚、双方の傾斜面３２ａ，３２ｂは左右対称に形成されており、回転カム３０を左右何れの方向に回転させた場合でも、上記Ｈ２が確保されるようにしてある。
【００１８】
即ち、この山形カム部３２は、先行する筆記要素４０−１に対応するスライド駒２０−１が、下げ側傾斜面３２ａ上部に移動し、且つ同筆記要素４０−１の筆記部４２−１先端を軸筒１０の先端口１１ａ内に没入させた状態で、後続する筆記要素４０−２に対応するスライド駒２０−２が、上げ側傾斜面３２ｂの基部に位置するように形成されている。
【００１９】
尚、図示例では、寸法Ｈ１は、４．７ｍｍに設定されており、筆記要素４０−１がこの寸法Ｈ１後退することにより、その筆記部４２−１先端を先端口１１ａ端面から０．７ｍｍ（図２（ｂ）における寸法Ｈ３）没入させるようにしてある。また、寸法Ｈ２は、筆記要素４０−１が寸法Ｈ１後退した際に回転カム３０が回転する周面上の距離であり、図示例では３．４ｍｍである。
また、図示例では下げ側傾斜面３２ａと上げ側傾斜面３２ｂとがなす角度αを４５°に設定してある。この角度αは、従来品では５４°に設定していたが、図示例では、前記従来品よりも鋭角にすることで、上記寸法Ｈ２を確保している。
【００２０】
そして、本実施の形態では、上記したように各部の寸法を設定することで、先行する筆記要素４０−１を後退させる距離が、その筆記部４２−１を先端口１１ａ内に没入させるための必要最小限の距離にされている。従って、筆記部４２−１の没入直後に、後続する筆記要素４０−２に対応するスライド駒２０−２が上げ側傾斜面３２ｂの基部に位置する。
【００２１】
スプリング５０は、係止板１２ｄの後面とスライド駒２０との間でインク収容管４１の外周に貫挿されており、スライド駒２０を軸後方に付勢している。
尚、このスプリング５０は、図示例では、スライド駒２０が山形カム部３２の駒係止部３２ｃに係止されている状態で、セット荷重を１００ｇに設定してある。このセット荷重は従来品が１５０〜２００ｇであるのに対し低く設定してある。従って、下げ側傾斜面３２ａと上げ側傾斜面３２ｂとがなす角度αを鋭角にしたことに伴って回転カム３０がスライド駒２０を押上げる際の回転負荷が増加されるのを、前記スプリング５０のセット荷重の低減により相殺し、回転操作が軽い力で行えるようにしている。
【００２２】
而して、上記構成の回転繰出し式筆記具によれば、図２（ａ）に示すように、先行する筆記要素４０−１が筆記部４２−１を先端口１１ａから突出させ係止されている状態において、後続する筆記要素４０―２に対応するスライド駒２０−２は山形カム部３２の上げ側傾斜面３２ｂ基部から寸法Ｈ２離れて筒部３１の平坦面３１ｃ上に位置する。
そして、回転カム３０が図示されるように回転されると、図２（ｂ）に示すように、先行する筆記要素４０−１の筆記部４２−１先端が先端口１１ａ内に没入し、後続する筆記要素４０−２に対応するスライド駒２０−２が上げ側傾斜面３２ｂ基部に位置する。
【００２３】
従って、筆記具の使用者により完全に筆記部４２−１が没入するまで回転カム３０が回転されなかった場合でも、その回転カム３０の回転は、先行する筆記要素４０−１の筆記部４２−１が先端口１１ａ内に完全に没入するまでスライド駒２０−２によって止められることがない。
しかも、先行して没入した筆記要素４０−１に対応するスライド駒２０−１が下げ側傾斜面３２ａ上部に位置するため、再度回転カム３０を回転させて後続する筆記要素４０−２を突出させる際、前記スライド駒２０−１が下げ側傾斜面３２ａを押す力により、筆記具の使用者が回転カム３０を回す力が補助される。
【００２４】
尚、上記作用は、回転カム３０を図２に示す方向に回転させた場合で説明しているが、図示と逆方向に回転させた場合についても同様に作用するのは勿論である。
また、本実施の形態においては、スライド駒２０及び筆記要素４０を三本の場合で説明したが、それ以上の本数を具備する態様又は二本の場合であってもよい。
さらに、本実施の形態の回転カム３０を、上記第三の従来例の公報（実開昭６１−５６０９２）に開示されているようなキャップ内に具備する構成としても構わない。
【００２５】
【発明の効果】
本発明は、以上説明したように構成されているので、以下に記載されるような効果を奏する。
筆記具の使用者により完全に筆記部が没入するまで回転カムが回転されなかった場合でも、先行する筆記要素の筆記部先端が軸筒先端口内に没入するまでは、スプリングの弾発力によって回転カムの回転が止まらないため、筆記部先端が軸筒先端口から突出されたままの状態になってしまうことがない。
その上、山形カム部が二つの傾斜面により筆記部を出没させるため、第二の従来例のように回転カムの回転方向が限定されることがなく、筆記部の出没を両方向の回転操作により行うことができる。
しかも、先行する筆記要素が没入する際にその筆記要素に対応するスライド駒が回転カムの下げ側傾斜面を押すため、後続する筆記要素を突出させる回転力が補助される。よって、出没操作を軽い力で行える回転繰出し式筆記具を提供できる。
【図面の簡単な説明】
【図１】  本発明に係る回転繰出し式筆記具の一例を示す分解斜視図である。
【図２】  同筆記具において筆記部が出没される動作を順次示し、（ａ）及び（ｂ）は先端部分の断面図、（ａ’）及び（ｂ’）は回転カムとスライド駒の位置関係を示す拡大展開図で前記（ａ）及び（ｂ）に各々対応させて示している。
【図３】  第一の従来例において筆記部が出没される動作を順次示し、（ａ）及び（ｂ）は先端部分の断面図、（ａ’）及び（ｂ’）は回転カムとスライド駒の位置関係を示す拡大展開図で前記（ａ）及び（ｂ）に各々対応させて示している。
【図４】  第一の従来例において筆記部が没入する途中て停止した状態を示し、（ａ）は先端部分の断面図、（ａ’）はスライド駒と回転カムの位置関係を示す拡大展開図である。
【図５】  第二の従来例の拡大展開図であり、（ａ）及び（ｂ）に回転カムを回転させた際のスライド駒の状態を順次示す。
【図６】  第三の従来例の拡大展開図であり、（ａ）〜（ｅ）に回転カムを回転させた際のスライド駒の状態を順次示す。
【符号の説明】
１０：軸筒                        １１ａ：先端口
２０：スライド駒                  ３０：回転カム
３２：山形カム部                  ３２ａ：下げ側傾斜面
３２ｂ：上げ側傾斜面              ３２ｃ：駒係止部
４０：筆記要素（リフィール）      ４２：筆記部（チップ）
５０：スプリング
【図１】
0004456204.tif 000002
【図２】
0004456204.tif 000003
【図３】
0004456204.tif 000004
【図４】
0004456204.tif 000005
【図５】
0004456204.tif 000006
【図６】
0004456204.tif 000007